(57)【要約】【課題】光学装置内部の温度上昇を防止する光学装置を提供する。【解決手段】  光が通過可能な光通過領域（３，３０）の外側に備えられ、樹脂（３２）と当該樹脂中に分散されており内部に空洞（３４，３４ａ）が形成された中空粒子（３３，３３ａ）とを含む中空粒子入り樹脂部材（３１）が、少なくとも一部に備えられる光学装置。【選択図】図２
2012168392.tif 000002
【特許請求の範囲】
【請求項１】
光が通過可能な光通過領域の外側に備えられ、樹脂と当該樹脂中に分散されており内部に空洞が形成された中空粒子とを含む中空粒子入り樹脂部材が、少なくとも一部に備えられた光学装置。
【請求項２】
前記光通過領域の外側に備えられ、内部に光学部材を備える筒状の鏡筒筐体を有し、
前記中空粒子入り樹脂部材は筒状であり、前記鏡筒筐体の一部又は全部であることを特徴とする請求項１に記載の光学装置。
【請求項３】
前記中空粒子は、シリコンを含有するガラス、セラミック及び合成樹脂のうちいずれか一つからなることを特徴とする請求項１又は請求項２に記載の光学装置。
【請求項４】
前記中空粒子の平均粒径は１０〜２００μｍであることを特徴とする請求項１から請求項３のいずれかに記載の光学装置。
【請求項５】
前記中空粒子の前記空洞の圧力は、大気圧とほぼ等しい、もしくは、大気圧より小さいことを特徴とする請求項１から請求項４のいずれかに記載の光学装置。
【請求項６】
請求項１から請求項５のいずれかに記載の光学装置を含むカメラ。
【発明の詳細な説明】
【技術分野】
【０００１】
本発明は、光学装置及びカメラに関する。
【背景技術】
【０００２】
カメラに備えられるレンズ鏡筒等の光学装置は、太陽光を多量に照射される環境下で使用される場合がある。従来技術に係る光学装置では、太陽光が多量に照射される環境下で用いられた場合、照射熱によって光学装置内部の温度が上昇し、光学装置内部に備えられる光学部材等へ悪影響を及ぼすという問題が発生している。
【０００３】
光学装置の温度上昇を防止するための従来技術としては、例えば三脚等に取り付ける日除けカバーとして、空気が封入された袋状のシート材を用いるものが知られている。しかしながら、従来技術に係る日除けカバーは、光学装置表面の操作スイッチや操作環等の円滑な操作を妨げるという問題があり、また、袋状のシート材は、光学装置に取り付けて用いるには、強度等の面から問題がある。
【先行技術文献】
【特許文献】
【０００４】
【特許文献１】実開平６−３８３７６号公報
【発明の概要】
【発明が解決しようとする課題】
【０００５】
本発明は、このような実状に鑑みてなされ、その目的は、光学装置内部の温度上昇を防止する光学装置を提供することである。
【課題を解決するための手段】
【０００６】
上記目的を達成するために、本発明に係る光学装置は、
光が通過可能な光通過領域（３，３０）の外側に備えられ、樹脂（３２）と当該樹脂中に分散されており内部に空洞（３４，３４ａ）が形成された中空粒子（３３，３３ａ）とを含む中空粒子入り樹脂部材（３１）が、少なくとも一部に備えられる。
【０００７】
また、例えば、本発明に係る光学装置は、前記光通過領域の外側に備えられ、内部に光学部材を備える筒状の鏡筒筐体（２）を有しても良く、
前記中空粒子入り樹脂部材は筒状であり、前記鏡筒筐体の一部又は全部であっても良い。
【０００８】
また、例えば、前記中空粒子は、シリコンを含有するガラス、セラミック及び合成樹脂のうちいずれか一つからなるものであっても良い。
【０００９】
また、例えば、前記中空粒子の平均粒径は、１０〜２００μｍであっても良い。
【００１０】
また、例えば、前記中空粒子の前記空洞の圧力は、大気圧より小さくても良い。
【００１１】
本発明に係るカメラは、上記いずれかに記載の光学装置を含む。
【００１２】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【図面の簡単な説明】
【００１３】
【図１】図１は、本発明の一実施形態に係るレンズ鏡筒の全体図である。
【図２】図２は、図１に示すレンズ鏡筒における鏡筒筐体の部分断面図である。
【図３】図３（ａ）は、図２に示す中空粒子の模式断面図であり、図３（ｂ）は変形例に係る中空粒子の模式断面図である。
【図４】図４は、本発明の一実施形態に係るカメラを正面側から見た斜視図である。
【図５】図５は、図４に示すカメラを背面側から見た斜視図である。
【発明を実施するための形態】
【００１４】
第１実施形態
図１は、本発明の第１実施形態に係る光学機器であるレンズ鏡筒１の全体図である。図１に示すレンズ鏡筒１は、いわゆる一眼レフレックスカメラのカメラボディに対して着脱可能な望遠型交換レンズ鏡筒である。レンズ鏡筒１は、レンズ鏡筒１の外周を構成する鏡筒筐体２を有している。鏡筒筐体２は、略円筒形状を有しており、略円筒形状の鏡筒筐体２の中心軸に沿う方向に、光が通過可能な光通過領域３が形成されている。
【００１５】
鏡筒筐体２の内部に形成されている光通過領域３には、光学レンズ群（不図示）が備えられている。光学レンズ群は、レンズ鏡筒１の一方である被写体側から入射した光を、レンズ鏡筒１の他方である撮像面側（カメラ本体側）に出射する。また、本実施形態に係るレンズ鏡筒１は、被写体側から入射した光の像を、当該光を撮像面側に出射した後の所定の位置で、形成することができる。なお、鏡筒筐体２の内部には、光学レンズ群の他に、絞り等の他の光学部材や、これらの光学部材の位置を変化させるための駆動部や制御部等が備えられている。
【００１６】
レンズ鏡筒１を使用する際には、鏡筒筐体２の撮像面側に、不図示のカメラボディが取り付けられる。カメラボディは、レンズ鏡筒１に備えられる光学レンズ群によって形成される光の像を記録する記録媒体等を有する。また、鏡筒筐体２の被写体側の端部には、レンズ鏡筒１の光通過領域３に不要な光が入射することを防止するために、レンズフードが取り付けられても良い。
【００１７】
なお、実施形態では主としてレンズ鏡筒１を例に挙げて説明を行うが、本発明に係る光学装置としてはこれに限定されない。本発明に係る光学装置としては、レンズ鏡筒１の他に、例えばレンズフード、カメラボディおよびカメラ（レンズ鏡筒とカメラとが一体化したもの）等が挙げられる。また、本発明に係る光学装置は、スチルカメラや、スチルカメラに備えられるレンズ鏡筒に限定されるものではなく、ビデオカメラ、テレコンバータ、望遠鏡、双眼鏡、単眼鏡を含む。
【００１８】
鏡筒筐体２は、互いに外径の異なる３つの部分から構成される。すなわち、鏡筒筐体２は、第１の部分２ａ、第２の部分２ｂ及び第３の部分２ｃを有し、被写体側から撮像面側に向かって、第１の部分２ａ、第２の部分２ｂ、第３の部分２ｃの順に配置される。鏡筒筐体２の外径は、被写体側から撮像面側に向かって段階的に小さくなっており、第１の部分２ａの外径が最も大きく、第３の部分２ｃの外径が最も小さい。
【００１９】
鏡筒筐体２の第２の部分２ｂの外側には、ズーム環５が取り付けられている。ズーム環５は、鏡筒筐体２の内部に備えられる光学レンズ群の位置を変化させ、レンズ鏡筒１の焦点距離を調整するための操作部である。ズーム環５は、鏡筒筐体２に対して相対回転自在であり、使用者はズーム環５を回転させることによって、レンズ鏡筒１の焦点距離を変更することができる。
【００２０】
鏡筒筐体２の第３の部分２ｃの外側には、フォーカス環７が取り付けられている。フォーカス環７は、鏡筒筐体２の内部に備えられる光学レンズ群の位置を変化させ、焦点調整を行うための操作部である。フォーカス環７は、ズーム環５と同様に、鏡筒筐体２に対して相対回転自在であり、使用者はフォーカス環７を回転させることによって、レンズ鏡筒１の焦点調整を行うことができる。
【００２１】
鏡筒筐体２の第２の部分２ｂは、第１及び第３の部分２ａ，２ｃとは異なる材料を用いて作製されている。すなわち、第１の部分２ａと第３の部分２ｃは、Ｍｇ、Ａｌ等を含む金属材料を用いて作製されているのに対して、第２の部分２ｂは、中空粒子入り樹脂部材（図２参照）を用いて作製されている。
【００２２】
図２は、図１に示す鏡筒筐体２の第２の部分２ｂの部分断面図である。第２の部分２ｂは、中空粒子入り樹脂部材３１によって構成されている。中空粒子入り樹脂部材３１によって構成される第２の部分２ｂは、光通過領域３の外側に備えられ、不図示の光学部材等を内部に収納している。中空粒子入り樹脂部材３１は、樹脂３２と、樹脂３２中に分散されている中空粒子３３とを含む。
【００２３】
中空粒子入り樹脂部材３１の樹脂３２としては、ポリカーボネイトやＡＢＳ等が挙げられるが、特に限定されない。
【００２４】
中空粒子入り樹脂部材３１の樹脂３２の中には、中空粒子３３が分散されている。中空粒子３３は、中空粒子入り樹脂部材３１の表面方向に関しては、略均一に分散されていることが好ましい。また、中空粒子３３は、図２に示すように、中空粒子入り樹脂部材３１の外側表面には露出しない構成としても良いが、特に限定されない。
【００２５】
それぞれの中空粒子３３の内部には空洞３４が形成されている。図３（ａ）は、図２に示す中空粒子３３を模式的に表した拡大断面図である。中空粒子３３の形状は、略球形であり、中空粒子３３の内部には、１つの略球状の空洞３４が形成されている。ただし、空洞３４を含む中空粒子３３の形状はこれに限定されず、多面体その他の形状であっても良い。
【００２６】
また、図３（ｂ）は、変形例に係る中空粒子３３ａを表したものであり、中空粒子入り樹脂部材３１の内部には、中空粒子３３の代わりに、中空粒子３３ａが分散されていても良い。図３（ｂ）に示すように、中空粒子３３ａの内部には、複数の空洞３４ａが形成されている。このように、中空粒子の内部に形成される空洞の数についても、特に限定されない。
【００２７】
さらに、図３（ａ）に示す空洞３４は、外部と連通していても良いが、中空粒子３３ａによって外部に対して密閉されていることが好ましい。空洞３４が外部に対して密閉されていることによって、図２に示す中空粒子入り樹脂部材３１を形成する際に、空洞３４の内部に樹脂３２の材料が侵入し、空洞３４の容積の減少又は消失が起こることを、確実に防止することができる。
【００２８】
また、空洞３４の圧力は、特に限定されないが、大気圧とほぼ等しい、もしくは大気圧より小さいことが好ましい。これにより、中空粒子入り樹脂部材３１の熱伝導性を抑制し、中空粒子入り樹脂部材３１の断熱性能を高めることができるからである。なお、空洞３４には、空気、窒素又はアルゴン等の気体が存在しても良いが、特に限定されない。
【００２９】
中空粒子３３の材質は、樹脂３２の形成温度より高い融点を有し、適切な強度を有するものが好ましく、シリコンを含むガラスもしくはセラミックが好ましく、あるいは合成樹脂でもよい。また、中空粒子３３の大きさは、１０〜２００μmであることが好ましい。中空粒子３３の大きさを１０〜２００μmとすることによって、中空粒子入り樹脂部材３１を複雑な形状（表面形状等）とすることができ、また、中空粒子入り樹脂部材３１全体に均質な断熱性を持たせることができる。
【００３０】
図２に示す中空粒子入り樹脂部材３１は、樹脂３２の原材料に中空粒子３３を混合した組成物を用いて、成型等によって製造する。中空粒子入り樹脂部材３１の厚さは、特に限定されないが、０．５〜３ｍｍ程度とすることができる。
【００３１】
図１に示すように、本実施形態に係るレンズ鏡筒１は、鏡筒筐体２の第２の部分２ｂ（図１において網掛けで表される部分）に、中空粒子入り樹脂部材３１が備えられる。図２に示すように、中空粒子入り樹脂部材３１は、熱伝導率の低い空洞３４が内部に形成された中空粒子３３を含む。従って、中空粒子入り樹脂部材３１は、断熱材として好適に作用し、レンズ鏡筒１が野外等で使用された場合にも、照射熱によって鏡筒筐体２の内部の温度が上昇することを防止できる。
【００３２】
また、レンズ鏡筒１では、鏡筒筐体２の一部のみを中空粒子入り樹脂部材３１とし、他の部分は金属材料によって構成した。金属材料は強度面で有利であるため、レンズ鏡筒１は、適度な断熱性能を確保しつつ、レンズ鏡筒１の堅牢さを確保できる。なお、鏡筒筐体２の全体を中空粒子入り樹脂部材３１で構成しても良く、この場合は、より高い断熱効果を奏する。
【００３３】
さらに、中空粒子入り樹脂部材３１は、表面形状が複雑であるために厚さが薄い部分を有するような場合や、全体の厚さが薄い場合にも、発泡材料などと比較して、好適な断熱効果を奏する。中空粒子入り樹脂部材３１は、発泡材料とは異なり、図２に示すように外側表面へ開く開気孔が形成されない構成であるため、設計上の厚さが薄い場所に開気孔が配置されること等によって実質の厚さが極端に薄い場所が発生する心配がなく、断熱効果を発揮する領域の厚さを、安定して確保することができるからである。また、中空粒子入り樹脂部材３１を用いた鏡筒筐体２は、発泡材料を用いる鏡筒筐体と比較して、強度確保の観点からも有利である。
【００３４】
第２実施形態
図４は、本発明の第２実施形態に係る光学機器であるカメラボディ２２を、正面側から見た斜視図である。カメラボディ２２は、レンズ鏡筒を交換可能な一眼レフレックスカメラのカメラボディであり、カメラボディ２２の表面部分は、本体外装２３によって構成される。カメラボディ２２の本体外装２３の正面部２３ａには、レンズ鏡筒を取り付けるためのマウント９が備えられる。本体外装２３の内部には、レンズ鏡筒からの光が通過可能な光通過領域３０が形成される。
【００３５】
本体外装２３の上面部分（カメラボディ２２を正位置に構えた場合に上を向く部分）である最上カバー部２３ｂには、表示パネル２４等が備えられる。図４において網掛けで表す最上カバー部２３ｂは、図２等で説明した中空粒子入り樹脂部材３１と同様の中空粒子入り樹脂部材で構成される。野外撮影時等において、最上カバー部２３ｂは日射を受け易いが、この部分を中空粒子入り樹脂部材で構成することにより、カメラボディ２２は、内部の温度上昇を効果的に防止できる。
【００３６】
図５は、カメラボディ２２を背面側から見た斜視図であり、カメラボディの背面には、背面液晶２７やファインダー接眼窓２９が備えられる。本体外装２３のうち、ファインダー接眼窓２９の周辺部分である接眼周辺部２３ｃ（図５において網掛けで表す部分）は、図２等で説明した中空粒子入り樹脂部材３１と同様の中空粒子入り樹脂部材によって構成される。
【００３７】
図４に示す最上カバー部２３ｂや図５に示す接眼周辺部２３ｃは、曲面又は比較的複雑な表面形状を有するが、このような部分を中空粒子入り樹脂部材とすることにより、本体外装２３は、強度を確保しつつ優れた断熱効果を奏する。また、中空粒子入り樹脂部材を用いる本体外装２３は、軽量化の観点からも有利である。
【００３８】
図２等で説明した中空粒子入り樹脂部材は、上述の実施形態で説明した場所に限定されず、光学装置のその他の部分、特に光学装置の表面部分において、好適に使用される。
【符号の説明】
【００３９】
１…  レンズ鏡筒
２…  鏡筒筐体
２ａ〜２ｃ…  第１部分〜第３部分
３，３０…  光通過領域
５…  ズーム環
７…  フォーカス環
９…  マウント
２２…  カメラボディ
２３…  本体外装
２３ａ…  正面部
２３ｂ…  最上カバー部
２３ｃ…  接眼周辺部
２４…  表示パネル
２７…  背面液晶
２９…  ファインダー接眼窓
３１…  中空粒子入り樹脂部材
３２…  樹脂
３３，３３ａ…  中空粒子
３４，３４ａ…  空洞
【図１】
2012168392.tif 000003
【図２】
2012168392.tif 000004
【図３】
2012168392.tif 000005
【図４】
2012168392.tif 000006
【図５】
2012168392.tif 000007